(57)【要約】【課題】三相交流電源の欠相検出を確実に行い、三相負荷の保護制御が可能な三相欠相検出回路を提供すること。【解決手段】Ｒ相の電流を検出するＲ相電流検出回路４と、Ｓ相とＴ相の電流を逆位相で検出するＳ相Ｔ相電流検出回路５、それぞれの出力を整流平滑するＲ相電流値整流平滑回路６、Ｓ相Ｔ相電流値整流平滑回路７を設け、Ｒ相整流平滑回路の出力が所定値以下を検出した場合、または、Ｒ相電流値整流平滑回路６とＳ相Ｔ相電流値整流平滑回路７の出力電圧の差が一定値以下の場合に欠相判断と判断し、三相負荷３への通電を開閉器２により遮断し、機器の保護を行う。【選択図】図１
2006238577.tif 000002
【特許請求の範囲】
【請求項１】
三相交流電源と、この三相交流電源に開閉器を介して接続される三相負荷と、この開閉器の開及び閉の制御を行なう制御部を具備し、前記三相交流電源の第1相目の電流を検出する第1の電流検出回路と、三相交流電源の第2相目の電流と第３相目の電流を逆位相で同時に検出する第2の電流検出回路を設け、それぞれの出力を整流平滑する第１の整流平滑手段、第２の整流比較手段と、それぞれの整流平滑手段からの出力電圧を比較する電圧比較手段を設け、この電圧比較手段は、前記第１の整流平滑手段の出力が所定値以下を検出した場合、または、前記第１の整流平滑手段の出力電圧と前記第２の整流平滑手段の出力電圧の差が一定値以下の場合に前記制御部により前記開閉器を開とする三相欠相検出回路。
【請求項２】
三相負荷を圧縮機とし、第1および第２の電流検出回路を圧縮機の過電流保護用電流検出回路と兼ねたことを特徴とする請求項１に記載の空気調和機の三相欠相検出回路。
【発明の詳細な説明】
【技術分野】
【０００１】
本発明は、三相交流電源を電源とする機器において三相交流電源の欠相検出を行ない、機器の保護を行なう三相欠相検出回路に関するものである。
【背景技術】
【０００２】
従来、この種の三相欠相検出回路は、三相交流電源の各相とニュートラル相間の電圧をそれぞれ検出し、各相の位相をもとに欠相を判断している（例えば、特許文献１参照）。
【０００３】
図５は、特許文献１に記載された従来の三相欠相検出回路を示すもので、図６はその信号波形を示したものである。図５に示すように、三相交流電源1の各相とニュートラル相間の電圧を検出する手段として、フォトカプラ１０１を用いた位相検出回路１０と、この位相検出回路１０より出力された各相の信号をもとに欠相を判定する制御部９から構成されている。
【０００４】
この構成において、位相検出回路１０により検出された、各相とニュートラル相間の信号は、正常な場合、図６に示すように各相間の位相差がｔ１となる。この位相差ｔ１が所定の範囲に入っていれば正常、所定範囲外であれば欠相として、制御部９が判定を行なう。
【特許文献１】特開平８−１２６１９４号公報
【発明の開示】
【発明が解決しようとする課題】
【０００５】
しかしながら、前記従来の構成では、三相負荷３が電動機のように中性点３１を有している場合、三相負荷３へ通電中に三相交流電源１の例えばＲ相に欠相が生じたとき、三相負荷３のＲ相負荷端子３２には中性点３１と同電位であるＲ相負荷端子電圧が発生し、Ｒ相−Ｎ間に配置されたフォトカプラ１０１に印加される。
【０００６】
フォトカプラ１０１に印加されるＲ相負荷端子電圧は電源電圧のほぼ１／２の電圧であるが、三相交流電源１として広範囲の電源電圧、例えば定格±１５％に対応させようとした場合、部品ばらつきを考えるとフォトカプラ１０１が誤検出してしまい、図６と同じような検出信号が制御部９に入力され制御部９が正常と判定し、欠相検出ができないという課題を有していた。
【０００７】
また、三相欠相検出のために専用の回路を追加する必要があり、かつ、電源電圧を検出するため、回路の実装設計において絶縁距離を要し実装面積を大きく必要とする課題、および、コストアップの課題を有していた。
【０００８】
本発明は、前記従来の課題を解決するもので、三相負荷へ通電中に電線断線又は接続線の外れ等による三相交流電源の欠相が発生した場合においても、誤検出すること無く欠相検出を確実に行ない、機器を保護することを目的とする。
【０００９】
また、実装面積への影響を小さくし、コストアップも低減することを目的とする。
【課題を解決するための手段】
【００１０】
前記従来の課題を解決するために、本発明の三相欠相検出回路は、三相交流電源と、この三相交流電源に開閉器を介して接続される三相負荷と、この開閉器の開及び閉の制御を行なう制御部を具備し、前記三相交流電源の第1相目の電流を検出する第1の電流検出回路
と、三相交流電源の第2相目の電流と第３相目の電流を逆位相で同時に検出する第2の電流検出回路を設け、それぞれの出力を整流平滑する第１の整流平滑手段、第２の整流比較手段と、それぞれの整流平滑手段からの出力電圧を比較する電圧比較手段を設け、電圧比較手段は、第１の整流平滑手段の出力が所定値以下を検出した場合、または、第１の整流平滑手段の出力電圧と第２の整流平滑手段の出力電圧の差が一定値以下の場合に前記制御部により前記開閉器を開とするものである。
【００１１】
第１相目の欠相は第１の整流平滑手段からの出力低下、第２相目、第3相目の欠相は第１の整流平滑手段の出力電圧と第２の整流平滑手段の出力電圧の差を電圧比較手段で検出することにより、三相負荷へ通電中の欠相においても確実に欠相検知可能で、三相負荷への通電を開閉器により遮断することができ、機器の保護ができる。
【００１２】
また、本発明の三相欠相検出回路は、三相負荷を圧縮機とし、第1および第２の電流検出回路を圧縮機の過電流保護用電流検出回路と兼ねたものである。
【００１３】
これによって、三相欠相検出のために専用の回路を追加する必要がなく、実装面積への影響、コストアップが低減できる。
【発明の効果】
【００１４】
本発明の三相欠相検出回路は、三相負荷へ通電中の欠相検知を確実に、かつ、小実装面積、低コストで実現でき、機器の保護ができる
【発明を実施するための最良の形態】
【００１５】
第１の発明は、三相交流電源と、この三相交流電源に開閉器を介して接続される三相負荷と、この開閉器の開及び閉の制御を行なう制御部を具備し、前記三相交流電源の第1相目の電流を検出する第1の電流検出回路と、三相交流電源の第2相目の電流と第３相目の電流を逆位相で同時に検出する第2の電流検出回路を設け、それぞれの出力を整流平滑する第１の整流平滑手段、第２の整流比較手段と、それぞれの整流平滑手段からの出力電圧を比較する電圧比較手段を設け、電圧比較手段は、第１の整流平滑手段の出力が所定値以下を検出した場合、または、第１の整流平滑手段の出力電圧と第２の整流平滑手段の出力電圧の差が一定値以下の場合に前記制御部により前記開閉器を開とすることにより、三相負荷へ通電中の欠相においても確実に欠相検知可能で、三相負荷への通電を開閉器により遮断することができ、機器の保護ができる。
【００１６】
第２の発明は、特に、第１の発明の三相負荷を圧縮機とし、第1および第２の電流検出回路を圧縮機の過電流保護用電流検出回路と兼ねたことにより、三相欠相検出のために専用の回路を追加する必要がなく、実装面積への影響、コストアップが低減できる。
【００１７】
以下、本発明の実施の形態について、図面を参照しながら説明する。なお、この実施の形態によって本発明が限定されるものではない。
【００１８】
（実施の形態１）
図１は、本発明の第１の実施の形態における三相欠相検出回路の回路図を示すものである。図１において、三相交流電源1は開閉器２を介して三相負荷である圧縮機３に接続されている。三相交流電源1から圧縮機３への各相（Ｒ相、Ｓ相、Ｔ相）のうちの１相（Ｒ相）の電流を検出するＲ相電流検出回路４と、残りの２相（Ｓ相、Ｔ相）の電流を逆位相で同時に検出するＳ相Ｔ相電流検出回路５が設けられ、それぞれの出力は整流平滑するＲ相電流値整流平滑回路６、Ｓ相Ｔ相電流値整流平滑回路７に接続され、Ｒ相電流値整流平滑回路６の出力電圧Ｖ１とＳ相Ｔ相電流値整流平滑回路７の出力電圧Ｖ２は制御部８に設けられた電圧比較回路９へ入力され、制御部８は電圧比較回路９の入力に応じ開閉器２を
制御するように構成されている。
【００１９】
以上のように構成された三相欠相検出回路について、以下その動作、作用を説明する。まず、欠相のない場合の動作を説明する。圧縮機３に流れる電流はＲ相電流検出回路４、Ｓ相Ｔ相電流検出回路５により検出される。Ｒ相、Ｓ相、Ｔ相の電流は図２のＲ１、Ｓ１、Ｔ１のように位相が１２０度ずれた波形であり、Ｒ相電流検出回路４の出力はＲ１と同様の波形、Ｓ相Ｔ相電流検出回路５の出力はＳ相電流の逆位相−Ｓ１とＴ相電流Ｔ１の和で−Ｓ１＋Ｔ１の波形となり、そのピーク値はＲ１、Ｓ１，Ｔ１の√３倍になる。Ｒ１はＲ相電流値整流平滑回路６により、−Ｓ１＋Ｔ１はＳ相Ｔ相電流値整流平滑回路７により整流平滑されＶ１、Ｖ２の直流電圧波形となり、Ｖ２はＶ１の√３倍の値となる。Ｖ１、Ｖ２は電圧比較回路９に入力され、Ｒ相電流値整流平滑回路６の出力Ｖ１の大きさが第１の設定値（Ａ１）以上第２の設定値（Ａ２）以下、かつ、Ｖ２の大きさが第３の設定値（Ａ３）以下、かつ、Ｖ１とＶ２の電圧差が一定値以上でＶ１＜Ｖ２の場合正常と判断し、制御部８は開閉器２を閉制御する。Ｖ１が第２の設定値（Ａ２）以上、Ｖ２が第３の設定値（Ａ３）以上の場合は過電流と判断し、開閉器２を開制御する。
【００２０】
例えば空気調和機の冷凍サイクルの異常により圧縮機３の電流が大きくなりすぎた場合、開閉器２への通電を停止、開閉器２を開制御し圧縮機３への通電を停止し保護制御を行う。図２のように欠相がなく過電流もない場合は保護制御を行わない。
【００２１】
次に、Ｒ相に欠相が生じた場合について説明する。Ｒ相が欠相になった場合Ｒ相電流がゼロになるため、図３に示すようにＲ相電流検出回路４の出力波形Ｒ１はゼロとなりＲ相電流値整流平滑回路６の出力Ｖ１はゼロになる。Ｒ相電流値整流平滑回路６の出力Ｖ１が第１の設定値（Ａ１）以下のため、Ｒ相欠相と判断し、開閉器２を開制御し、圧縮機３への通電を停止し欠相保護制御を行う。
【００２２】
Ｓ相に欠相が生じた場合について、図４により説明する。Ｓ相が欠相時は、圧縮機３はＲ相、Ｔ相の２相により駆動されるため、単相運転になる。そのため、Ｒ相の電流とＴ相の電流はＲ１、Ｔ１のように位相が１８０度ずれた交流波形となる。Ｓ相電流はゼロのため−Ｓ１＋Ｔ１の波形はＴ１と同様になる。Ｒ相電流値整流平滑回路６、Ｓ相Ｔ相電流値整流平滑回路７の出力波形はＶ１、Ｖ２となりＶ１＝Ｖ２となる。電圧比較回路９ではＶ１とＶ２の電圧比較を行い、その電圧差が一定値以下でＶ１＜Ｖ２でない場合欠相と判断し、制御部８は開閉器２を開制御し圧縮機３への通電を停止し欠相保護制御を行う。
【００２３】
Ｔ相に欠相が生じた場合も、Ｓ相欠相時と同様、電圧比較回路９でのＶ１とＶ２の電圧比較により欠相保護制御を行う。
【００２４】
以上のように、本実施の形態においてはＲ相の電流を検出するＲ相電流検出回路と、Ｓ相とＴ相の電流を逆位相で同時に検出するＳ相Ｔ相電流検出回路を設け、それぞれの出力を整流平滑するＲ相整流平滑回路、Ｓ相Ｔ相整流比較手段と、それぞれの整流平滑回路からの出力電圧を比較する電圧比較回路を設け、Ｒ相整流平滑回路の出力が所定値以下を検出した場合、または、Ｒ相整流平滑回路の出力電圧Ｖ１とＳ相Ｔ相整流平滑回路の出力電圧Ｖ２の差が一定値以下を検出した場合に欠相保護制御を行い圧縮機への通電を開閉器により遮断することで機器の保護ができる。
【００２５】
また、Ｒ相およびＳ相Ｔ相電流検出回路を圧縮機の過電流保護用電流検出回路と兼ねたことにより、三相欠相検出のために専用の回路を追加する必要がなく、実装面積への影響、コストアップが低減できる。
【産業上の利用可能性】
【００２６】
以上のように、本発明にかかる空気調和機の三相欠相検出回路は、三相負荷へ通電中の欠相検知を確実に、かつ、小実装面積、低コストで実現でき、機器の保護ができるので、三相交流電源を電源とするインバータ機器等の欠相検出による機器の保護の用途にも適用できる。
【図面の簡単な説明】
【００２７】
【図１】本発明の実施の形態１における三相欠相検出回路の回路図
【図２】本発明の実施の形態１における正常時の各部出力波形図
【図３】本発明の実施の形態１におけるＲ相欠相時の各部出力波形図
【図４】本発明の実施の形態１におけるＳ相欠相時の各部出力波形図
【図５】従来の三相欠相検出回路の回路図
【図６】従来の制御部への入力信号を示す波形図
【符号の説明】
【００２８】
１  三相交流電源
２  開閉器
３  三相負荷
４  Ｒ相電流検出回路
５  Ｓ相Ｔ相電流検出回路
６  Ｒ相電流値整流平滑回路
７  Ｓ相Ｔ相電流値整流平滑回路
８  制御部
９  電圧比較回路
【図１】
2006238577.tif 000003
【図２】
2006238577.tif 000004
【図３】
2006238577.tif 000005
【図４】
2006238577.tif 000006
【図５】
2006238577.tif 000007
【図６】
2006238577.tif 000008